(57)【特許請求の範囲】
【請求項１】
音響再生装置本体とこの音響再生装置本体を着脱自在に構成したスピーカ装置部とを備えた音響再生装置であって、
前記音響再生装置本体は、音響再生手段を有すると共に、その再生された音響信号を出力する本体側音響信号出力端子を設け、
前記スピーカ装置部は、前記音響再生装置本体を装着する本体装着部と、該本体装着部の両端において連結部を介して開閉回動可能に連結する左右のスピーカユニットと、前記音響再生装置本体の装着時における接続プラグ装着部対応部分の前記連結部に形成された切欠部を開閉自在とするカバーと、前記音響再生装置本体の装着時に前記本体側音響信号出力端子に接続可能な音響信号入力端子とを設け、
前記左右のスピーカユニットは、前記音響再生装置本体の非装着状態では本体装着部に重なり合うように閉状態が可能であり、開状態ではそれぞれ左右に開かれて本体装着部に音響再生装置本体を装着可能とし、かつ、前記連結部に設けたカバーが開いた状態で当該左右のスピカーユニットが開状態においては、前記音響再生装置本体の接続プラグ装着部に接続プラグを装着した状態で当該接続プラグを前記切欠部に配置させて音響再生装置本体を本体装着部に装着可能に構成したことを特徴とする音響再生装置 。
【請求項２】
前記接続プラグ装着部は、前記音響再生装置本体を遠隔操作するための操作信号を入力するためのジャックであり、接続プラグは遠隔操作を行うための操作信号を出力するリモートコントロール部が接続されているものであることを特徴とする請求項１記載の型音響再生装置 。
【請求項３】
前記カバーの開閉動作は、少なくとも当該カバーを設けた側の連結部に連結されたスピーカユニットが閉状態でのみ行い得るように構成したことを特徴とする請求項１記載の型音響再生装置 。
【発明の詳細な説明】
【技術分野】
【０００１】
本発明は、携帯型音響再生装置などの音響再生装置本体をスピーカユニットを有するスピーカ装置に装着して、音響再生装置本体の再生音楽などをそのスピーカ装置により聴取することができる小型の音響再生装置に関するものである。
【背景技術】
【０００２】
音楽などの音情報を記録したカセットテープやＭＤ（ミニディスク）などの録音媒体を携帯型音響再生装置により聴取するためには、通常、この種の携帯型音響再生装置はスピーカを備えていないため、あるいは小型のスピーカを設けたものであるため、通常はイヤホンやヘッドホンを接続して聴取するようにしている。
【０００３】
また、この種の携帯型音響再生装置にスピーカを接続して、スピーカから音楽などを聴取する方法としては、特許文献１に示すようなものがあが、ここで、この特許文献１の従来例（図１１）と、特許文献１そのものの発明について説明する。
【０００４】
特許文献１の従来例（図１１）には、スピーカ装置６０を携帯型音響再生装置 ９０に接続して聴取するようにしており、スピーカ装置６０は、左スピーカ６１が内蔵されている左スピーカユニット６２と、右スピーカ６３が内蔵されている右スピーカユニット６４と、家庭用ＡＣ電源８０などに接続されるＡＣアダプタ６５などを備えている。また、一方のスピーカユニット、例えば左スピーカユニット６２には、入力した音響信号を増幅する増幅回路（図示せず）と電池収納部とが内蔵されているとともに、音響信号入力用の接続コード６６と、右スピーカボックス部６４へのスピーカ接続用の接続コード６７とが接続され、さらに、ＡＣアダプタ６５の電源供給コード６５ｂの先端に設けられた電源供給端子６５ａが接続される電源入力端子部６８と、電源スイッチ６９とが設けられている。なお、９２は携帯型音響再生装置９０に装着されるカセットテープやＭＤなどの情報記録媒体、８０はＡＣ電源である。
【０００５】
このスピーカ装置６０を使用する際には、左右のスピーカユニット６２、６４を適切な位置に配置した状態で、ＡＣアダプタ６５からの電源供給端子６５ａをスピーカ装置６０の電源入力端子部６８に接続し（または、スピーカユニット６２の電池収納部に電池を入れ）、スピーカ接続用の接続コード６７の先端に設けられたスピーカ接続用出力端子６７ａを右スピーカユニット６４のスピーカ接続用入力端子６４ａに接続し、さらに、音響信号入力用の接続コード６６の先端に設けられた音響信号入力用端子６６ａを、携帯型音響再生装置 ９０に設けられた音響信号出力用端子９１に差し込み、スピーカ装置６０の電源スイッチ６９をＯＮ状態にし、そして、携帯型音響再生装置９０を操作して再生状態とすることで使用できる。
【０００６】
また、特許文献１には、音響再生機本体２を、スピーカ装置３における左右のスピーカユニット２３、２４を連結する連結部３０に対して装着可能に構成し、連結部３０に、音響再生機本体２に設けた被係合凹部に装着時に係合して、音響再生機本体２の装着位置を規制するガイドリブ３４と、装着時に音響再生機本体２に内蔵されている充電電池１１に吸着するマグネット部とを設け、装着時にマグネット部により音響再生機本体２が連結部３０に吸着されて、音響再生機本体２の本体側音響信号出力端子がスピーカ装置の音響信号入力端子に直接接触するように構成したものが開示されている。
【０００７】
そして、音響再生機本体２をスピーカ装置３の連結部３０に装着して使用することにより、音響再生機本体２の再生信号を左右のスピーカユニット２３，２４より出力して聴取できることとなる。
【特許文献１】特開２００４−１１８９５５号公報
【発明の開示】
【発明が解決しようとする課題】
【０００８】
しかしながら、特許文献１の従来例のものでは、左右のスピーカユニット６２、６４を配置した状態で、音響信号入力用の接続コード６６やスピーカ接続用の接続コード６７を接続しなければならず、さらに、ＡＣアダプタ６５を使用する際には、ＡＣアダプタ６５をＡＣ電源８０に接続した状態でＡＣアダプタ６５の電源供給コード６５ｂを左スピーカユニット６２に接続しなければならず（ＡＣ電源８０の代わりに電池を使用する際にはスピーカユニット６２の電池収納部に電池を入れなければならず）、多くの手間や時間がかかってしまうという課題があった。また、左右のスピーカユニット６２、６４を配置する際などに、音響信号入力用の接続コード６６とスピーカ接続用の接続コード６７とが互いに絡んでしまう場合があり、さらに、ＡＣアダプタ６５を使用する際には電源供給コード６５ｂも絡んでしまうこともある。また、携帯型音響再生装置９０とは別に、スピーカ装置６０への電源を供給する電源（ＡＣ電源や電池など）が必要である課題がある。
【０００９】
また、特許文献１のものでは、図１に示す正面方向から、前記音響再生機本体２を遠隔操作するための操作信号を入力する音響再生機本体２の制御・音響信号入出力端子１７（図４（ａ）参照）に、リモートコントロール部４の接続端子４ｃやイヤホン接続コード７の入力端子７ａを直接接続することができず、図４（ｃ）に示すように、スピーカ装置３の背面における開閉窓４０を開けて、制御・音響信号入出力端子１７を直接外部に露出させるこにより、この背面側で行うようにしなければならなかった。すなわち、音響再生機本体２からリモートコントロール部４の接続端子４ｃを一旦外して、音響再生機本体２をスピーカ装置３に装着し、しかる後に背面の開閉窓４０を開けて制御・音響信号入出力端子１７を露出させ、その後、再度、リモートコントロール部４の接続端子４ｃを挿入しなければならず手間が掛かるという問題があった。
【００１０】
本発明は上記課題を解決するもので、多くの手間や時間をかけなくてもスピーカから出力できるように容易にセットでき、また、音響信号入力用の接続コードとスピーカ接続用の接続コードなどが互いに絡んだりすることがなく、さらには、スピーカ装置用の電源を単独に必要とすることがなく、操作性も良好な小型音響再生装置を提供することを目的とするものである。
【課題を解決するための手段】
【００１１】
上記課題を解決するために、本発明の音響再生装置は、音響再生装置本体とこの音響再生装置本体を着脱自在に構成したスピーカ装置部とを備えた音響再生装置であって、前記音響再生装置本体は、音響再生手段を有すると共に、その再生された音響信号を出力する本体側音響信号出力端子を設け、前記スピーカ装置部は、前記音響再生装置本体を装着する本体装着部と、該本体装着部の両端において連結部を介して開閉回動可能に連結する左右のスピーカユニットと、前記音響再生装置本体の装着時における接続プラグ装着部対応部分の前記連結部に形成された切欠部を開閉自在とするカバーと、前記音響再生装置本体の装着時に前記本体側音響信号出力端子に接続可能な音響信号入力端子とを設け、前記左右のスピーカユニットは、前記音響再生装置本体の非装着状態では本体装着部に重なり合うように閉状態が可能であり、開状態ではそれぞれ左右に開かれて本体装着部に音響再生装置本体を装着可能とし、かつ、前記連結部に設けたカバーが開いた状態で当該左右のスピカーユニットが開状態においては、前記音響再生装置本体の接続プラグ装着部に接続プラグを装着した状態で当該接続プラグを前記切欠部に配置させて音響再生装置本体を本体装着部に装着可能に構成したことを特徴とする。
【００１２】
本発明によれば、上記構成により、前記左右のスピーカユニットの開動作では、前記スピーカユニットが前記連結部で回動することにより左右に互いに離れ、この際生じた空間に音響再生装置本体を装着可能とし、かつ、前記連結部に形成した切欠部のカバーの開いた状態では前記音響再生装置本体に接続プラグを挿入した状態であっても、前記音響再生装置本体を装着可能とすることができ、また、前記左右のスピーカユニットの閉動作では前記左右のスピーカユニットそれぞれが連結部で回動することにより、左右のスピーカユニット同士が密着または近接する状態とすることができるため、多くの手間や時間をかけなくてもスピーカから発音できるように音響再生装置本体を容易にセットできる。このことにより容易に機器の操作やその状態を把握でき、音響再生装置本体に接続プラグを装着しない時やスピーカユニットの閉状態時にこのカバーを閉めれば、切欠部を隠すことができデザイン性を損なわないこととなる。
【００１３】
また、請求項２に記載の音響再生装置は、前記接続プラグ装着部は、前記音響再生装置本体を遠隔操作するための操作信号を入力するためのジャックであり、接続プラグは遠隔操作を行うための操作信号を出力するリモートコントロール部が接続されているものであり、音響再生装置本体をスピーカ装置部に装着した状態で、当該音響再生装置本体の再生動作等をリモートコントロール操作することができるという作用を有する。
【００１４】
また、請求項３に記載の音響再生装置は、前記カバーの開閉動作は、少なくとも当該カバーを設けた側の連結部に連結されたスピーカユニットが閉状態でのみ行い得るように構成したものであり、カバーの開閉は一方のスピーカユニットの開閉にのみ対応して行うことができるという作用を有する。
【発明の効果】
【００１５】
以上のように本発明によれば、多くの手間や時間をかけなくてもスピーカから出力できるように、連結部を介して開閉回動可能なスピーカユニットを有するスピーカ装置の本体装着部に、そのスピーカユニットを開いた状態で音響再生装置本体を容易にセットでき、スピーカユニットの連結部に形成した切欠部のカバーが開状態では音響再生装置本体に続端プラグを装着したままの状態であっても、当該音響再生装置本体をそのままスピーカ装置に装着することができる。このことにより容易に機器の操作やその状態を把握でき、音響再生装置本体に接続プラグを装着しない時やスピーカユニットの閉状態時にこのカバーを閉めれば、切欠部を隠すことができデザイン性を損なわない音響再生装置を提供することができるものである。
【発明を実施するための最良の形態】
【００１６】
以下、本発明の音響再生装置を実施するための最良の形態について、図面に基づき説明する。
【００１７】
図に示すように、本発明の実施の形態に係る小型音響再生装置１は、携帯用の小型の音響再生装置本体２と、この音響再生装置本体２を着脱自在に構成したスピーカ装置３と、音響再生装置本体２の再生動作を制御するリモートコントロール部４とを備え、リモートコントロール部４にはヘッドホン（図示せず）を先端に有するヘッドホン接続コードを接続したプラグ７が接続されるようになっている。この音響再生装置本体２の再生信号の音声は、スピーカ装置３に装着した状態で、このスピーカ装置３に設けたスピーカによって放音することが可能である。また、音響再生装置本体２は、スピーカ装置３から分離した単体の状態で、リモートコントロール部４にプラグ７を接続することにより、再生信号の音声をその先端のヘッドホンによって聴取することが可能である。
【００１８】
音響再生装置本体２は、スピーカ装置３に装着して使用する状態で、図中上面となる上面部２ａに形成した挿入開口より録音媒体としてのミニディスク（ＭＤ）８を装着自在としており、その内部にはＭＤ８に録音された音声信号を再生可能とする音響再生手段を内蔵しており、スピーカ自体は設けられていない。また、音響再生装置本体２の内部には、充電電池１１が、電池蓋２１の開閉により収納可能となっている。また、スピーカ装置３への装着面となる背面部２ｂには、音響再生装置側電源・音響信号入出力端子２２が設けられ、右側面部２ｃにはジャック型の操作・音響信号入出力端子２３が設けられている。また、この音響再生装置本体２の背面部２ｂと底面部２ｄには、この音響再生装置本体２をスピーカ装置３に装着する際の位置決め用の凹部２４，２５を設けている。なお、２６は音響再生装置本体２の前面部２ａには動作制御用の操作部であり、２７は音響再生装置本体２の蓋部を開口させて録音媒体を着脱可能な姿勢にする開閉用レバーである。
【００１９】
次に、スピーカ装置３は、図３に示すように、音響再生装置本体２を装着する本体装着部３０と、その左右両側において音声を発生するスピーカ３１、３２がそれぞれ設けられているボックス形状の左右のスピーカユニット３３、３４と、これらの左右のスピーカユニット３３、３４を本体装着部３０の両端部において開閉回動可能な状態で連結する連結部３６、３７を有する。ここで、左右のスピーカユニット３３、３４は、音響再生装置本体２の非装着状態では、図３に示す開状態から図４に示すように、連結部３６、３７を中心に回動させて本体装着部３０に重なり合うように閉状態とすることが可能である。
【００２０】
このスピーカ装置３の本体装着部３０には、音響再生装置本体２側の電源・音響信号入出力端子２２に対応する位置にスピーカ装置側電源・音響信号入出力端子３５が設けられ、また音響再生装置本体２の位置決め用の凹部２４，２５に対応する位置に嵌合用の凸部３８、３９を設けている。また、このスピーカ装置３の本体装着部３０内部には、電源・音響信号入出力端子３５を介して、音響再生装置本体２側より入力した音響信号を増幅する増幅回路３０ａ（後述する回路図参照）と、音響再生装置本体２に収納した充電電池１１を充電する充電回路３０ｂ（後述する回路図参照）等を備えた回路基板が内蔵されている。また、音響再生装置本体２を装着した状態で保持するためのマグネット３０ｃを設けている。
【００２１】
音響再生装置本体２の右側面部２ｃに設けたジャック型の操作・音響信号入出力端子２３には、図１、図２に示すように、音響再生装置本体２の再生動作を制御するリモートコントロール部４にコード４ａを介して設けられた接続プラグ４ｂを接続するようになっている。また、リモートコントロール部４は、操作部４ａおよび表示部４ｂを有して操作可能となっており、ヘッドホン（図示せず）を先端に有するヘッドホン接続コードを接続したプラグ７を接続するための音響信号出力端子としてのジャック４ｅを設けている。したがって、操作・音響信号入出力端子２３は、音響再生装置本体２の遠隔操作を行うための操作信号を含む操作信号を入出力する操作信号端子としての機能や、音響信号を出力する本体側音響信号出力端子としての機能を有している。
【００２２】
スピーカ装置３の一方の連結部３７には、音響再生装置本体２に設けた操作・音響信号入出力端子２３に対向する部分に切欠部１０を形成し、この切欠部１０を覆うべく外形の形状を連結部３７とほぼ同様に形成したカバー９を設けている。このカバー９は、図４、５に示すように、支点９ａでスピーカ装置３の本体装着部３０の端部に回動自在に固定してあり、図４（ａ）図に示す閉じた状態から（ｂ）図に示すように開くことができるものである。ここで、このカバー９の開閉は、左右のスピーカユニット３３、３４を閉じた状態で行うことができるものであり、少なくとも切欠部１０を形成した連結部３７に連結されたスピーカユニット３４は必ず閉じておく必要がある。
【００２３】
そして、図５に示すように、切欠部１０のカバー９を開いた状態とすることにより、音響再生装置本体２に設けた操作・音響信号入出力端子２３に接続プラグ４ｂを装着した状態で、当該接続プラグ４ｂの装着部を切欠部１０に対応させて、その音響再生装置本体２をスピーカ装置３の本体装着部３０に装着することができる。
【００２４】
図６は、左右のスピーカユニット３３、３４の開閉状態を上面から示す図であり、（ａ）図に示すように開いた状態で、右側のスピーカユニット３４を閉じた後、左側のスピーカユニット３３を閉じることにより、（ｂ）図に示すように本体装着部３０側に重なり合うように閉じることができるものであり、この状態では（ｃ）図に示すように切欠部１０のカバー９を開くことができる。
【００２５】
また、図７に示すように、スピーカ装置３の本体装着部３０の背面には、電源ジャック４１を設け、電源家庭用ＡＣ電源５に接続され、音響再生装置本体２やスピーカ装置３に電力を供給可能なＡＣアダプタ６にコード６ｂを介して接続されたプラグ６ａが接続されるようになっており、ＡＣアダプタ６で変換されたＤＣ電源がスピーカ装置３に供給されるようになっている。
【００２６】
また、図８にブロック図で示すように、音響再生装置本体２をスピーカ装置３に装着した状態では、相対する端子が電気的に接続されることにより、音響再生装置本体２の回路と、スピーカ装置３の本体装着部３０に内蔵した増幅回路３０ａ、充電回路３０ｂが接続されて、スピーカ装置３による音響再生装置本体２の音楽信号の再生や、スピーカ装置３から音響再生装置本体２に電力供給が可能となり、充電電池１１の充電を行うこともできることとなる。
【００２７】
音響再生装置本体２は、単体で使用する際には、充電電池１１を収納して、ヘッドホンを取り付け、またはリモートコントロール部４を介してヘッドホンを取り付けた状態で、音響再生装置本体２の操作部２６やリモートコントロール部４の操作部４ｃを操作することで、音響再生装置本体２により再生した音楽などをヘッドホンで聴くことができる。
【００２８】
また、左右のスピーカユニット３３、３４の本体装着部３０間に音響再生装置本体２を装着する際には、音響再生装置本体２側に設けた凹部２４、２５と、スピーカ装置３側に設けた凸部３８、３９とで位置を決めを行い、スピーカ装置３側の本体装着部３０に設けたマグネット３０ｃの磁力により固定できるようになっている。
【００２９】
そして、左右のスピーカユニット３３、３４は本体装着部３０により、互いに離れてこれら左右のスピーカユニット３３、３４の間に音響再生装置本体２を装着できる開状態の姿勢と、これらのスピーカユニット３３、３４が中央に向かって回動し収納された閉状態の姿勢となるように構成されている。
【００３０】
さらに、充電時には、図７に示すように、電源供給端子用プラグ６ａを電源入力端子用ジャック４１に接続した状態で、音響再生装置本体２を装着し、音響再生装置側電源・音響信号入出力端子２２とスピーカ装置側電源・音響信号入出力端子３５とを電気的に接続することで、音響再生装置本体２に内蔵された充電電池１１を充電することができるようになっている。
【００３１】
また、図７に示すように、本体装着部３０の背面には、この小型音響再生装置 １を立設させることができるように折り畳み式のスタンド４２が上端で枢支されている。
【００３２】
このような構成において、スピーカ装置３を使用する場合は、スピーカ装置３の左右のスピーカユニット３３、３４が装着用姿勢となるように連結部３６、３７に対して左右のスピーカユニット３３、３４を回動させ、音響再生装置本体２を側に設けた凹部２４、２５とスピーカ装置３側に設けた凸部３８、３９とで位置を決め、スピーカ装置３側に設けたマグネット３０ｃの磁力により固定し、音響再生装置本体２側電源・音響信号入出力端子２２とスピーカ装置側電源・音響信号入出力端子３５とを電気的に接続する。
【００３３】
この装着状態が図９〜図１１であり、この状態で、音響再生装置本体２の操作部２６を操作して再生を指示することで、音響再生装置本体２で再生された音楽などが、左右のスピーカユニット３３、３４から発せられる。
【００３４】
ここで、図９、１０は、音響再生装置本体２にリモートコントロール部４を接続しない状態で使用する例であり、このときカバー９は切欠部１０を閉じた状態であり、このカバー９は連結部３７とほぼ同様の外形形状が外観されることとなる。
【００３５】
また、図１１は、音響再生装置本体２にリモートコントロール部４を接続した状態で、スピーカ装置３に装着して使用する例であり、カバー９を予め開いておくことにより、音響再生装置本体２の側面にリモートコントロール部４の接続プラグ４ｂを装着した状態であっても、当該本体装着部３０の前面側から音響再生装置本体２を装着するのみで、図１１に示すように、連結部３７に形成した切欠部１０に接続プラグ４ｂが対応して収納された状態となって装着することができる。
【００３６】
この状態ではリモートコントロール部４の表示部４ｄを見ながら、何番目の曲か（トラック数）の確認や、モードの確認、曲中の演奏時間を視認することも可能であり、リモートコントロール部４の操作部４ｃを操作することで、スピーカ装置３のスピーカ３１、３２から音楽などを聴くことも可能である。また、音響再生装置本体２の操作部２６にても操作することも可能である。
【００３７】
また、充電電池１１が音響再生装置本体２に収納された状態であれば充電電池１１からの電力を音響再生装置本体２およびスピーカ装置３に供給することも可能であり、さらには、家庭用ＡＣ電源５に接続したＡＣアダプタ６の電源供給コード６ｂを接続することで、家庭用ＡＣ電源５から変換した電力により、音響再生装置本体２およびスピーカ装置３を駆動することも可能である。
【産業上の利用可能性】
【００３８】
以上説明したように、本発明の音響再生装置によれば、携帯型音響再生装置などそのままでも使用できる音響再生装置本体を、スピーカユニットを有するスピーカ装置に装着して、音響再生装置本体の再生音楽などをそのスピーカ装置により聴取することができる小型の音響再生装置に適用して有利なものである。
【図面の簡単な説明】
【００３９】
【図１】本発明の実施の形態にかかる音響再生装置のスピーカ装置と音響再生装置本体を分離した状態の斜視図
【図２】（ａ）図は同音響再生装置本体の正面側斜視図、（ｂ）図は同背面側斜視図
【図３】同スピーカ装置のスピーカユニットを開いた状態の斜視図
【図４】同スピーカ装置のスピーカユニットを閉じた状態の斜視図であり、（ａ）図は切欠部のカバーを閉じた状態の斜視図、（ｂ）図は同カバーを開いた状態の斜視図
【図５】同カバーの開閉状態を示す断面図
【図６】同音響再生装置のスピーカ装置におけるスピーカユニットの開閉状態を示す上面図であり（ａ）図はスピーカユニットを開いた状態の上面図、（ｂ）図は同閉じた状態の上面図、（ｃ）図は同閉じた状態で切欠部のカバーを開いた状態の上面図
【図７】同音響再生装置の音響再生装置本体をスピーカ装置に装着した状態を示す背面斜視図
【図８】同音響再生装置のブロック図
【図９】同音響再生装置本体をスピーカ装置に装着した状態を示す背面斜視図
【図１０】同音響再生装置本体をスピーカ装置に装着した状態を示す上面図
【図１１】同音響再生装置本体の側面に接続プラグを装着した状態で該音響再生装置本体をスピーカ装置に装着した状態を示す斜視図
【符号の説明】
【００４０】
１    音響再生装置
２    音響再生装置本体
２ａ    音響再生装置本体の上面部
２ｂ    音響再生装置本体の背面部
２ｃ    音響再生装置本体のプラグ型操作・音響信号入出力端子を配置した側面部
２ｄ    音響再生装置本体の底面部
３    スピーカ装置
４    リモートコントロール部
７    ヘッドホン接続コード
８    ＭＤ（ミニディスク）
９    カバー
９ａ    カバーの回動支点
１０    切欠部
１１    充電電池
２２    音響再生装置側電源・音響信号入出力端子
２３    ジャック型操作・音響信号入出力端子
２４、２５    音響再生機本体側に設けた凹部
２６    操作部
３０    本体装着部
３０ａ    増幅回路
３０ｂ    充電回路
３０ｃ    マグネット
３１    左側スピーカ
３２    右側スピーカ
３３    左側スピーカユニット
３４    右側スピーカユニット
３５    スピーカ装置側電源・音響信号入出力端子
３６    左側連結部
３７    右側連結部
３８、３９    スピーカ装置側に設けた凹部
【図１】
0004513693.tif 000002
【図２】
0004513693.tif 000003
【図３】
0004513693.tif 000004
【図４】
0004513693.tif 000005
【図５】
0004513693.tif 000006
【図６】
0004513693.tif 000007
【図７】
0004513693.tif 000008
【図８】
0004513693.tif 000009
【図９】
0004513693.tif 000010
【図１０】
0004513693.tif 000011
【図１１】
0004513693.tif 000012